(57)【要約】【解決手段】  天板２と、脚体３とからなる組立家具１である。天板２は使用状態で脚体３を固定するための使用固定部１２〜１５と、収容状態で脚体を固定するための収容固定部１６、１７と、位置ずれ防止支持部２４とを有し、脚体３を構成する第１脚部４１、第２脚部５１とを重ね合わせて天板２に収容できる。【効果】  脚部３を天板２に強固に固定し、小型化することで、持ち運び易く、携帯用の家具として用いることができ、プラスチック樹脂のブロー成型で成型することで軽く、持ち運び易い組立家具を提供できる。【選択図】  図１
2018153219.tif 000002
【特許請求の範囲】
【請求項１】
天板と、脚体とからなる組立家具であって、
天板は、その裏面に、使用状態で脚体を固定するための使用固定部と、収容状態で脚体を固定するための収容固定部とを有し、
前記使用固定部には脚体を収容固定した状態で、前記脚体に係合して位置ずれを防止する位置ずれ防止支持部を有することを特徴とする組立家具。
【請求項２】
収容固定部は、２つの相対する突出片で脚体を挟持するものであって、位置ずれ防止支持部は前記収容固定部の相対する方向と異なる方向への位置ずれを防止する突出片を有することを特徴とする請求項１に記載の組立家具。
【請求項３】
脚体は、１又は複数の開放部を有し、脚体を天板に収容した状態で位置ずれ防止支持部が前記開放部の内側を係合支持することを特徴とする請求項１または２のいずれかに記載の組立家具。
【請求項４】
ブロー成型からなる脚体は、中央上方に連結開放部を有する第１脚部と、中央下方に連結開放部を有する第２脚部とからなり、
使用時には、前記第１脚部の連結開放部と前記第２脚部の連結開放部とを組み合わせて１つの脚体を形成し、
収容時には、前記第１脚部と前記第２脚部との組み合わせを解除したうえで、これらを重ね合わせ、収容固定部で固定することを特徴とする請求項１、２または３のいずれかに記載の組立家具。
【発明の詳細な説明】
【技術分野】
【０００１】
本発明は、携帯して適宜組み立てることにより使用できる家具であり、主として椅子として用いるものであるが、机等にも用いることができるものに関する。
【背景技術】
【０００２】
従来からアウトドア用品において折り畳み椅子や机等の家具製品は数多く提供されてきた。これらにはパイプ型の折り畳み椅子のように座面部分が布地のものであったり、収容時にも相当の大きさになるものが多く、携帯用のものとして使い勝手が良くなかった。
【０００３】
一方、特許文献１に記載の発明は、平板状の座面と、第１脚部、第２脚部とからなり、これらの脚部を組み合わせて一つの脚部とし、座面に組付けることができるものである。しかし、これには組み合わせていない状態で座面と脚部とを固定したり、収容したりする構成が記載されておらず、携帯用として必ずしも使い勝手の良いものではなかった。
【０００４】
また、特許文献２に記載の発明は、天板にＸ字型の開脚状態とした脚を保持させることで携帯用のテーブルとしたものである。しかし、この発明も組み合わせていない状態で天板と脚とを固定したり、収容したりするものではなかった。
【先行技術文献】
【特許文献】
【０００５】
【特許文献１】特開２００７−１２５３５１号公報
【特許文献２】特開平１０−７１０２４号公報
【発明の概要】
【発明が解決しようとする課題】
【０００６】
そこで、天板と脚体とを組み立てた使用状態及び組み立てを解除した収容状態においても、固定し、容易に持ち運ぶことができる使い勝手の良いものが望まれていた。
【課題を解決するための手段】
【０００７】
上記課題を解決するため、本発明の組立家具は、天板と、脚体とからなる組立家具であって、天板は、その裏面に、使用状態で脚体を固定するための使用固定部と、収容状態で脚体を固定するための収容固定部とを有し、前記使用固定部には脚体を収容固定した状態で、前記脚体に係合して位置ずれを防止する位置ずれ防止支持部を有することを特徴とする。
【０００８】
また、収容固定部は、２つの相対する突出片で脚体を挟持するものであって、位置ずれ防止支持部は前記収容固定部の相対する方向と異なる方向への位置ずれを防止する突出片を有することが好ましい。
【０００９】
また、脚体は、１又は複数の開放部を有し、脚体を天板に収容した状態で位置ずれ防止支持部が前記開放部の内側を係合支持することが好ましい。
【００１０】
また、ブロー成型からなる脚体は、中央上方に連結開放部を有する第１脚部と、中央下方に連結開放部を有する第２脚部とからなり、使用時には、前記第１脚部の連結開放部と前記第２脚部の連結開放部とを組み合わせて１つの脚体を形成し、収容時には、前記第１脚部と前記第２脚部との組み合わせを解除したうえで、これらを重ね合わせ、収容固定部で固定することが好ましい。
【発明の効果】
【００１１】
本発明によって、天板と脚体とを使用時及び収容時に固定し、さらに収容時に使用固定部に脚体を係合して位置ずれ防止をする位置ずれ防止支持部を有することで、強固に固定され、小型化することで、持ち運び易く、携帯用の家具として用いることができる。
【図面の簡単な説明】
【００１２】
【図１】本実施形態の組立家具１の使用時における全体斜視図である。
【図２】本実施形態の組立家具１の脚体３の使用時における全体斜視図である。
【図３】脚体３の第１脚部４１の正面図である。
【図４】脚体３の第２脚部５１の正面図である。
【図５】本実施形態の組立家具１の天板２の裏面側の斜視図である。
【図６】本実施形態の天板２に脚体３を収容した状態の全体斜視図である。
【図７】脚体３を収容した状態の組立家具１の背面図である。
【図８】本実施形態の組立家具１の使用状態を示す背面図である。
【発明を実施するための形態】
【００１３】
本発明の実施の形態について、図面に沿って説明する。図１は、本発明の組立家具１の全体斜視図である。図１に示すように、本発明の組立家具１は、天板２と、脚体３とからなる。本実施形態における天板２と脚体３とは、取り外し可能なものであるが、天板２と脚体３とが連結した状態で使用する場合及び収容する場合で組み立てるものであってもよい。天板２には取手２ａが一体的に形成されており、使用者が当該取手２ａを持って携帯することができる。
【００１４】
まず、本実施形態の組立家具１の脚体３について説明する。図２に示すように、本実施形態の脚体３は、第１脚部４１と第２脚部５１とを組み合わせて構成される。脚体３は、プラスチック樹脂のブロー成型により成型されるもので、内部が空洞となっていて、軽く、携帯が容易となる。
【００１５】
本実施形態では、別個独立の部材である第１脚部４１と第２脚部５１とを組み合わせて一つの脚体３とするものであるが、必ずしもこれに限定されるものではなく、両者が連結されていたり、一体的に成型されたものを展開して脚体として使用するものであってもよい。
【００１６】
図３に脚体３の一部分である第１脚部の正面図を示す。第１脚部４１は、正面視において、略台形状となる。第１脚部４１は、中央の組み合わせ保持部４２と、各々２つの上辺４３、４３、下辺４４、４４、側片４５、４５とからなり、上辺４３と下辺４４との間に中間辺４６、４６が配置される。中央の組み合わせ保持部４２とこれらの辺で囲まれる部位は、４つの開放部４７、４７が形成される。これらの辺は、その断面が略円形状の形態となる。
【００１７】
中央の組み合わせ保持部４２は、２つの中央辺４２ａ、４２ａと、これらを下方で連結する連結部４２ｂとからなり、連結部４２ｂの上方であって２つの中央辺４２ａ、４２ａの間が開放された連結開放部４２ｃとなる。連結部４２ｂは、第２脚部５１と組み合わせて一つの脚体３としたときに、第２脚部５１の中央辺５２ａ、５２ａとの係合状態が保持できるように、各辺よりも肉厚を薄くし、凹ませて形成している。
【００１８】
組み合わせ保持部４２を介して２つの上辺４３、４３の両側端４３ａ、４３ａ間の長さは、天板２の幅方向長さと略同一としてある。これにより、収容時に天板２の幅に沿って、収容でき、使い勝手が良く携帯が可能になる（図７参照）。
一方、組み合わせ保持部４２を介して２つの下辺４４、４４の両側端４４ａ、４４ａは、上記上辺４３、４３の両側端４３ａ、４３ａよりも外方に位置する。これにより、下辺４４、４４の両側端４４ａ、４４ａ間の長さが長くなっており、当該部分から内方の水平部４４ｂ、４４ｂで使用時に接地することから、使用時の安定性を確保することができる。また、収容時に天板２の幅から下辺４４、４４の一部がはみ出した状態となるが、取手２ａから遠い側の収容固定部１７に下辺４４、４４を固定することで、携帯時において、はみ出した下辺４４、４４が邪魔しない。
【００１９】
下辺４４、４４の両側端４４ａ、４４ａから中央方向に水平部４４ｂ、４４ｂが形成される。この水平部４４ｂ、４４ｂは、使用状態で脚部３が設置場所に接地する部分となる。水平部４４ｂ、４４ｂから湾曲し、中央の組み合わせ保持部４２の下端となる下端部４４ｃで連結される。上辺４３、４３から下端部４４ｃまでの長さは、天板１１の高さ方向長さよりも、若干短くしてある。これにより、天板２の裏面に形成される収容固定部１６、１７に挟持させて収容し、天板２内に収めることにより、コンパクトな収容が可能になる。
【００２０】
図４に示すように、第２脚部５１は、上辺５３、５３、下辺５４、５４、側片５５、５５、中間辺５６、５６、４つの開放部５７、５７を有し、第１脚部４１と、中央の組み合わせ保持部５２を除き、略同一形状である。第２脚部５１の組み合わせ保持部５２は、第１脚部４１では連結部４２ｂが２つの中央辺４２ａ、４２ａの下方で連結しているのに対し、２つの中央辺５２ａ、５２ａの間の上方で連結する連結部５２ｂを有し、その下方が連結開放部５２ｃであることが異なる。
【００２１】
第１脚部４１と第２脚部５１とを組み合わせて、一つの脚体３とする。組み合わせは、底面視において、第１脚部４１と第２脚部５１とがＸ字状となるように配置する（図８参照）。具体的には、第１脚部４１の上方から、第２脚部５１を嵌め込むことにより行うが、第１脚部４１の中央の組み合わせ保持部４２の連結開放部４２ｃに、第２脚部５１の中央の組み合わせ保持部５２の連結開放部５２ｃを挿入することで組み合わせる。このとき、肉厚が薄く凹ませた各連結部４２ｂ、５２ｂに断面略円形上の各中央辺４２ａ、４２ａ、５２ａ、５２ａが嵌まり込み、当該組み合わせを保持することができる。
【００２２】
図５に示すように、天板２は、板状に成型されたプラスチック樹脂からなり、表面（上面）は水平面を有し、椅子として用いる場合には座面となり、机として用いる場合には机表面となる。天板２の裏面側は、その外周部分を裏面側へ延長した外枠部２１が形成され、補強のためのリブ２２が適宜、所定方向に形成される。
【００２３】
図５、図８に示すように、天板２の裏面には、脚体３を使用状態で固定する使用固定部である突出片１２、１３、１４、１５が形成される。これらの使用固定部の突出片１２〜１５は、天板２の中心部Ｚから右斜め上、右斜め下、左斜め上、左斜め下方向に、各々天板２の四隅方向に放射状に延びた各々２つの並列した突出片からなる。これらの並列した２つの突出片は、第１脚部４１と第２脚部５１の上辺４３、４３、５３、５３の幅と略同一幅の係合溝２３が形成されるように配置される。使用固定部の突出片１２、１３、１４、１５は、前記リブ２２、２２の突出高さと同じ高さとして配置される。
【００２４】
使用固定部の突出片１２、１３、１４、１５から、天板２の中心部Ｚと四隅との間であって、やや中心部Ｚ寄りの位置に、使用固定部突出片の上縁からさらに上方に延長して突出する位置ずれ防止支持部２４、２４が形成される。この位置ずれ防止支持部２４、２４は、各々形状が異なり、その側縁２４ａ、２４ａが切り欠かれている。これは、収容時に第１脚部４１及び第２脚部５１の開放部４７、４７、５７、５７の位置に、各々の位置ずれ防止支持部２４、２４が位置するようにしてあり、位置ずれ防止支持部２４、２４の側縁２４ａ、２４ａが第１脚部４１、第２脚部５１の開放部４７、４７、５７、５７を内側から係合支持する。
【００２５】
使用固定部の突出片１２、１３、１４、１５により形成される係合溝２３、２３には、その底に半円形の係合リブ２５、２５が形成され（図５参照）、収容時に断面円形の第１脚部４１、第２脚部５１のガタツキを防止する。また、使用固定部の突出片１２、１３、１４、１５と位置ずれ防止支持部２４、２４の溝側の面に突出する凸部２６、２６が形成され（図８参照）、第１脚部４１、第２脚部５１の収容状態をロックしている。
【００２６】
天板２の裏面には脚体３を固定する各固定部が突出して一体的に形成される。天板２の裏面の上縁中央付近と下縁中央付近で突出し、各々天板２の中央に向けて先端を鍵状にした収容固定部の突出片１６、１７が形成される。この収容固定部となる突出片１６、１７は、使用固定部の突出片１２、１３、１４、１５から延長して突出する位置ずれ防止支持部２４、２４と略同一の高さに形成される。
【００２７】
収容固定部の突出片１６、１７は、各々が対向して配置されており、上端の鍵部分の曲がり方向も対向するようにしてある。収容固定部の突出片１６、１７は、プラスチック樹脂からなるものであるが、弾力性を有し、脚体３を固定する。図７に示すように、取手２ａがある天板２の縁近くに形成される突出片１６と、その対向する位置に突出片１７が形成され、下方が広く形成された脚体３が邪魔にならないように固定することができる。
【００２８】
本実施形態の組立家具１の使用時及び収容時の組み立て、解除について説明する。使用時において、上記のとおり、第１脚部４１と第２脚部５１とを組み合わせて、脚体３とする。脚体３の上辺４３、４３、５３、５３を、天板２の使用固定部である突出片１２、１３、１４、１５により形成された係合溝２３、２３に挿入する。このとき、ブロー成型からなるプラスチック樹脂成型品である脚体３の上辺４３、４３、５３、５３は、断面が略円形であるため、係合溝２３、２３に形成された半円形の係合リブ２５、２５に接合する。なお、凸部２６、２６が形成されていることから、使用状態で脚体３を押圧することで固定状態を保持することができる（図８参照）。
【００２９】
次に収容状態について説明する。使用状態における脚体３を天板２から取り外し、脚体３として組み合わせている第１脚部４１と第２脚部５１との組み合わせを解除する。そして、図６、７に示すように、第１脚部４１の裏面と第２脚部５１の正面とを合わせるように、重ね合わせる。次に、重ね合わせた第１脚部４１と第２脚部５１とを収容固定部の突出片１６、１７で挟持するように固定して収容する。このとき、第１脚部４１と第２脚部５１との開放部４７、４７、５７、５７には、天板２の位置ずれ防止支持部２４、２４が突出しており、その側縁２４ａ、２４ａが開放部４７、４７、５７、５７の内側縁と係合して位置ずれを防止することができる。
【００３０】
本実施形態の組立家具１は、プラスチック樹脂からなり、脚体３がブロー成型で形成されることから、軽く、携帯が容易となる。しかも、脚体３が天板２の裏面側に収容されることから収容時はコンパクトになるため、更に携帯が容易になる。また、本実施形態ではプラスチック樹脂のみから成型され、組み立て、連結のための別部材や金具等を使用しておらず、安価でかつ簡単に製造することが可能になる。
【符号の説明】
【００３１】
１…組立家具
２…天板
３…脚体
１２〜１５…使用固定部（突出片）
１６、１７…収容固定部（突出片）
２４…位置ずれ防止支持部
４１…第１脚部
４２ｃ…連結開放部
４７…開放部
５１…第２脚部
５２ｃ…連結開放部
５７…開放部
【図１】
2018153219.tif 000003
【図２】
2018153219.tif 000004
【図３】
2018153219.tif 000005
【図４】
2018153219.tif 000006
【図５】
2018153219.tif 000007
【図６】
2018153219.tif 000008
【図７】
2018153219.tif 000009
【図８】
2018153219.tif 000010